(57)【要約】【課題】ドラムの平置き時及び段積み時のいずれの場合にも、ドラム底板の変形状況に影響されることなく、ドラムを安定的に直立支持することができるドラムの支持構造を提供する。【解決手段】ドラムの底板１１と外周側板１２との連結部１３に、その連結部１３を基端とする環状の握持部１４を底板１１よりも下方に突出形成する。その握持部１４の外周面側に、ドラムの段積み時に当該ドラムの下側に位置する下段ドラムの外周側板の上端部１２ａと対向し得る略水平な載置面１５ａを有する外周フランジ１５を突設する。更に、握持部１４の先端（下端）に、前記外周フランジの載置面１５ａよりも下方に突出する突起又は環状突条１６を設ける。この構造によれば、ドラム底板１１はドラム荷重の支持に関与しない。【選択図】      図３
2004203442.tif 000002
【特許請求の範囲】
【請求項１】
底板及び外周側板を有するドラムを直立状態で支持するためのドラムの支持構造であって、
ドラムの底板と外周側板との連結部を基端とする握持部を底板よりも下方に突出形成し、
前記握持部の外面側には、ドラムの段積み時に当該ドラムの下側に位置するドラムの外周側板の上端部と対向し得る略水平な載置面を有する外周フランジを突設すると共に、前記握持部の先端には、前記外周フランジの載置面よりも下方に突出する突起又は環状突条を設けたことを特徴とするドラムの支持構造。
【請求項２】
前記ドラムは、底板及び外周側板の他に、外周側板の上端部によって区画される開口部と、外周側板の上端部又はその近傍に形成された係合段部とを有しており、前記外周側板の上端部に載せる蓋と、その蓋の外周部上面及びドラム外周側板の係合段部に同時係合して蓋をドラム外周側板の上端部に固定するクランプ部材とを併用して前記開口部を閉塞するように構成されたオープンドラムであることを特徴とする請求項１に記載のドラムの支持構造。
【発明の詳細な説明】
【０００１】
【発明の属する技術分野】
本発明は、底板及び外周側板を少なくとも具備するドラムに関し、特にそのようなドラムを直立状態で支持するためのドラムの支持構造に関する。
【０００２】
【従来の技術】
粉体や半流動体等の貯蔵運搬用の容器として、合成樹脂製オープンドラム（天板が蓋として着脱可能なドラム）が普及している。かかるドラムには通常、荷役作業の利便を図るために手で握るための握持部が設けられている。その握持部をドラムの段積み時（複数ドラムの垂直方向積み重ね時）における安定性向上に役立てようとの着想が提案されている。例えば特許文献１のオープンドラムでは、握持部のつけ根がドラムの地板（底板）の外周から少なくとも１０ｍｍ内側に位置するように、握持部を地板に直接突設している。そして、段積み時にはドラムの蓋（天板）に設けられた凹部の内側に前記握持部がほぼ嵌り込むことで、蓋の凹部内周壁と握持部との径方向規制関係により、段積み状態にある各ドラムの横ずれを防止している。
【０００３】
【特許文献１】特公平６−６９８１６号公報（請求項１、第４図参照）
【０００４】
【発明が解決しようとする課題】
しかしながら、上記特許文献１のオープンドラムにあっては、特許文献１の第４図に示されるように、下段のドラムの蓋の上面に形成された環状突部（即ち前記凹部を区画形成するための環状突部）に、上段のドラムの地板（より具体的には握持部の外側に位置する地板部分）を直に当接させて、ドラムを段積みしている。つまり、上段ドラムの全荷重がその地板によって直接支えられている。このため、上段ドラムに収めた内容物によって地板が膨らむ等の変形が生じた場合には、下段ドラム蓋の環状突部が接している地板部分の平坦度も保証の限りではなく、上段ドラムの姿勢が不安定になり易い。特に合成樹脂製ドラムでは、内容物によって地板が変形し易いという事情があり、その点で特許文献１の支持構造には問題がある。また、ドラムの荷役作業が荒っぽく行われた場合には、下段ドラム蓋の環状突部により上段ドラムの地板に対して大きな衝撃が加わり、地板が破損する虞れもある。
【０００５】
本発明の目的は、ドラムの平置き時及び段積み時のいずれの場合にも、ドラム底板の変形状況に影響されることなく、ドラムを安定的に直立支持することができるドラムの支持構造を提供することにある。
【０００６】
【課題を解決するための手段】
本発明は、底板及び外周側板を有するドラムを直立状態で支持するためのドラムの支持構造であって、ドラムの底板と外周側板との連結部を基端とする握持部を底板よりも下方に突出形成し、前記握持部の外面側には、ドラムの段積み時に当該ドラムの下側に位置するドラムの外周側板の上端部と対向し得る略水平な載置面を有する外周フランジを突設すると共に、前記握持部の先端には、前記外周フランジの載置面よりも下方に突出する突起又は環状突条を設けたことを特徴とするドラムの支持構造である。
【０００７】
更に好ましくは、前記ドラムは、底板及び外周側板の他に、外周側板の上端部によって区画される開口部と、外周側板の上端部又はその近傍に形成された係合段部とを有しており、前記外周側板の上端部に載せる蓋と、その蓋の外周部上面及びドラム外周側板の係合段部に同時係合して蓋をドラム外周側板の上端部に固定するクランプ部材とを併用して前記開口部を閉塞するように構成されたオープンドラムである。
【０００８】
（作用等の説明）このドラムの支持構造によれば、ドラム単体を平らな地面等に平置きする場合には、ドラムの底板よりも下方に突出した握持部の先端に設けられた突起又は環状突条によってドラム及びその内容物の全荷重が支えられる。他方、複数ドラムを垂直方向に段積みした場合には、下段に位置するドラムの外周側板の上端部に対し、上段に位置するドラムの握持部に突設された外周フランジの略水平な載置面が対向する配置関係となる。それ故、上段ドラム及びその内容物の全荷重は、上段ドラムの握持部及び外周フランジを介して下段ドラムの外周側板上端部に伝達され、その下段ドラムの外周側板によって支えられる。このように本発明によれば、ドラムの平置き時及び段積み時のいずれの場合にも、ドラム底板が支持主体（例えば地面や下段ドラム）に直に接して荷重を支えることがないので、内容物の重量等に起因するドラム底板の変形状況に影響されることなく、ドラムを安定的に直立支持することができる。なお、ドラムの段積み時において、上段ドラムの外周フランジ載置面よりも下方に突出する突起又は環状突条は、下段ドラムの外周側板上端部（又は下段ドラムに装着された蓋の一部）に係合可能となり、その係合関係に基づきドラムの横ずれ防止に貢献する。
【０００９】
ドラムの外周側板の上端部に蓋を載せ、その蓋をクランプ部材を用いてドラム外周側板の上端部に固定してドラム開口部を閉塞している場合、かかるドラムの段積み時には、下段ドラムの外周側板上端部と上段ドラムの外周フランジ載置面との間に、蓋及びクランプ部材の一部が介在されることになる。このとき、蓋及びクランプ部材の一部が、上段ドラムの荷重に基づき、下段ドラムの外周側板上端部と上段ドラムの外周フランジ載置面との間に強く挟まれる。このため、蓋及びドラム外周側板上端部の外周部分に取り付けられたクランプ部材が外れ難くなり、クランプ部材によるドラム上端への蓋固定が更に確実なものとなる。
【００１０】
（付記）本発明の更に好ましい態様や追加的構成要件を以下に列挙する。
イ．前記外周側板は略円筒状をなすこと。ロ．前記握持部はドラム底板の周縁に沿って環状に形成されていること。ハ．外周フランジの載置面はドラム底板の最も低い部位よりも下に位置すること。ニ．前記突起又は環状突条は外周フランジの根元付近に位置すること。ホ．前記係合段部は外周側板の上端縁から下に所定距離を隔てた位置において環状に形成されていること。ヘ．前記ドラムの底板、外周側板、握持部、外周フランジおよび突起又は環状突条は、合成樹脂で一体成形されていること。
【００１１】
【発明の実施の形態】
以下、本発明を合成樹脂製オープンドラムに具体化した一実施形態について、図面を参照して説明する。
【００１２】
図１に示すように、ドラム本体１０は、円板状の底板１１と、その底板１１の周縁部から上に向けて立設する略円筒状の外周側板１２とを有し、当該ドラム本体の中心軸線Ｐ１周りにおいて回転対称な有底円筒形状をなす合成樹脂製の一体成形物である。底板１１は、成形加工時の樹脂収縮による変形を和らげるために中心（中心軸線Ｐ１の位置）において底上がりとなる一方で、底板１１の周縁部近傍が最も低くなっている。ドラムの胴体部分を構成する外周側板１２の高さは底板１１の直径よりも大きく設定されている（但し図１では、外周側板１２の途中部分を省略することで外周側板１２の高さは低くなっている）。
【００１３】
図１に示すように、ドラムの底板１１と外周側板１２との連結部１３には、底板１１の周縁に沿って環状をなす握持部１４が形成されている。この環状握持部１４は、前記連結部１３を基端として、底板１１の最も低い部位よりも更に下方に向けて突出形成されている。握持部１４は、ドラムを運んだり、内容物を取り出すためにドラムを傾けたりする際に手で握るための部位である。
【００１４】
握持部１４の外周面側には環状の外周フランジ１５が突設され、その外周フランジ１５の下側には水平な載置面１５ａが形成されている。外周フランジ１５の高さ位置はドラム底板１１の最も低い部位よりも下に設定されおり、その結果として、外周フランジの載置面１５ａもドラム底板１１の最も低い部位よりも下に位置する。この水平な載置面１５ａは、複数ドラムの段積み時に当該ドラムの下側に位置するドラムの外周側板１２の上端部１２ａと対向する（図３参照）。更に、握持部１４の先端（図１では下端）であって外周フランジ１５の根元付近には、外周フランジの載置面１５ａよりも更に下に突出する環状突条１６が設けられている。この環状突条１６は当該ドラムの最下位に位置しており、地面等の平らな面に当該ドラムを平置きする場合には、この環状突条１６によってドラムの全荷重が支持される。また、段積み時には、環状突条１６は横ずれ防止のための規制部として機能する。
【００１５】
図１に示すように、ドラム本体１０の上端側は完全開口しており、その開口部１０ａは略円筒状外周側板の上端部１２ａによって区画されている。但し、外周側板の上端部１２ａ近傍には、その上端縁１２ｂから所定距離だけ下がった位置に断面略Ｓ字状のくびれが付与され、そのくびれ形状に基づく係合段部１７が全周にわたり環状に形成されている。この環状の係合段部１７は、後述するクランプ部材３０の掛け止めに利用される。
【００１６】
ドラム本体の上端開口部１０ａに対しては、図２に示すような蓋２０（天板）が装着される。図２に示すように、蓋２０の外周部はその径方向断面が波形となるように付形されており、その結果、蓋外周部の上面側及び下面側には複数の環状溝（２１，２２等）が、蓋の中心軸線Ｐ２を中心として同心円状に形成されている。具体的には、蓋２０の下面側にはその最外周域において、下に開口した平面円環状の係合溝２１が形成されている。蓋の中心軸線Ｐ２から係合溝２１までの距離と、ドラム本体１０の中心軸線Ｐ１から外周側板の上端部１２ａまでの距離とはほぼ一致しており、蓋２０をドラム本体１０に装着した際、当該係合溝２１内に外周側板の上端部１２ａが進入可能となっている。他方、蓋２０の上面側にはその外周域において、上に開口した平面円環状の規制溝２２が形成されている。蓋２０の中心軸線Ｐ２から規制溝２２までの距離と、ドラム本体１０の中心軸線Ｐ１から前記握持部下端の環状突条１６までの距離とはほぼ一致しており、蓋２０の上面にドラム本体１０を載せた場合に、当該規制溝２２内に前記環状突条１６が進入可能となっている。
【００１７】
さて、ドラム本体の開口部１０ａを蓋２０で塞ぎたい場合には、図３に示すように、蓋の係合溝２１に対し外周側板の上端縁１２ｂが嵌り込むように蓋２０をドラム本体１０の上端に装着する。ドラム本体上端に蓋を単に載せただけでは外れやすいので、図３に示す環状のクランプ部材３０を蓋の固定に利用する。
【００１８】
図３に示すように、クランプ部材３０は、環状の本体部３１、上側鍔部３２及び下側鍔部３３を具備し、これらによって径方向断面が略「コ」字状をなす金属製のリング状部材として構成されている。また、クランプ部材３０は図示しないハンドルを備えており、そのハンドルを操作して環状本体部３１の径を広げたり縮めたりすることで当該クランプ部材３０による締付け又はその解除を行うことができるようになっている。クランプ部材３０を本件ドラムに適用する場合には図３に示すように、クランプ部材の本体部３１を蓋２０の最外周部に当接させると共に、上側鍔部３２を蓋２０の外周部上面に当接させ且つ下側鍔部３３を係合段部１７の下面に当接させつつ、上下鍔部３２，３３間に外周側板の上端部１２ａ及び蓋２０の外周部を挟み込んで両者を締め付ける。これによりドラム外周側板の上端部１２ａ及び蓋２０に対してクランプ部材３０が咬着する格好となり、蓋２０がドラム本体１０に固定される。
【００１９】
二つのドラムを垂直方向に段積みする場合には、環状クランプ部材３０によりドラム本体１０に蓋２０を固定した下段ドラムの上に、上段ドラムを配置する。すると図３に示すように、上段ドラムの握持部下端の環状突条１６が、下段ドラムの蓋上面の規制溝２２内に進入すると共に、上段ドラムの外周フランジ載置面１５ａがクランプ部材の上側鍔部３２の上面に当接する。こうして、下段ドラムの外周側板上端部１２ａの直上には、蓋２０の外周部及びクランプ部材の上側鍔部３２を挟んで、上段ドラムの外周フランジ１５が位置することになる。
【００２０】
図３に示す段積み状態では、上段ドラムの荷重は、上段ドラムの握持部１４及び外周フランジ１５、クランプ部材の上側鍔部３２並びに蓋２０の外周部を介して下段ドラムの外周側板上端部１２ａに伝達され、下段ドラムの外周側板１２によって支えられる。つまり、従来例の場合と異なり、上段ドラムの荷重が当該上段ドラムの底板１１を介して下段ドラムに伝達される構造ではなく、上段ドラムの底板１１が直に荷重を支えることがない。このため、上段ドラムの内容物の重量により底板１１が下に膨らむ等の変形を生じる場合でも、そのことがドラムの段積み状態に悪影響を及ぼすことはなく、上段ドラムの姿勢は不安定化しない。また、図３によれば、蓋２０の外周部には上段ドラムの荷重がかかるものの、蓋の中心域の平板部分には一切荷重がかからず、段積みによって蓋２０が変形することもない。
【００２１】
図３に示す段積み状態では、上段ドラムの握持部下端の環状突条１６が、下段ドラムの蓋上面の規制溝２２内に進入する。このため、上段ドラムを横方向にずらそうとする外力が作用したとしても、環状突条１６が規制溝２２の内壁面に当たりそれ以上の横ずれが制限される。故に、下段及び上段ドラムをそれらの中心軸線Ｐ１がほぼ一致した状態で段積みすることができ、複数ドラムの段積みに支障を来すほどの極端な横ずれが生じる心配がない。
【００２２】
更に図３に示す段積み状態では、上段ドラム及びその内容物の重量に基づき、上段ドラムの外周フランジ１５がクランプ部材の上側鍔部３２を蓋２０の外周部上面に押し付ける。即ち、クランプ部材の上側鍔部３２は、下段ドラムの蓋２０と上段ドラムの外周フランジ１５とによって強く挟着される。この強い挟着力により、クランプ部材３０が蓋２０及び係合段部１７から外れ難くなり、クランプ部材３０による蓋固定がより確実なものとなる。
【００２３】
尚、本実施形態のドラムを地面等の平らな面に平置きする場合には、握持部下端の環状突条１６によってドラムの全荷重が支持され、底板１１によって荷重が支えられることはない。また、本実施形態によれば、平置き時及び段積み時のいずれの場合も、底板１１が何かに直に接することがないので、ドラムの荷役作業が荒っぽく行われた場合でも、底板１１に何かが衝突して底板が破損するようなことがない。
【００２４】
図３には、下段ドラムに蓋２０及びクランプ部材３０を装着した状態を示したが、蓋２０及びクランプ部材３０を装着しないまま、下段ドラムの外周側板の上端部１２ａ上に上段ドラムの外周フランジ１５を直接載せて、ドラムを段積みしてもよい。この場合も、上段ドラムの全荷重が下段ドラムの外周側板１２によって支えられる点や、上段ドラムの握持部下端の環状突条１６が下段ドラムの外周側板上端部１２ａの内周側と当接可能となり横ずれ防止に役立つ点は、図３の場合と同様である。
【００２５】
（変更例）上記実施形態では、ドラム本体下端握持部の外周フランジ１５を、握持部１４の全周にわたり連続形成して環形状としたが、これに代えて、握持部１４の周方向に沿って断続的に、円弧状又は扇形状の外周フランジを複数個配列してもよい。また、握持部１４の先端（下端）に環状突条１６を形成したが、このような環状突条１６に代えて、外周フランジ載置面１５ａを基準とした下方突出量が等しい複数個の突起を等間隔又は不等間隔で設けてもよい。
【００２６】
【発明の効果】
以上詳述したように本発明のドラムの支持構造によれば、ドラムの平置き時及び段積み時のいずれの場合にも、ドラム底板が支持主体（例えば地面や下段ドラム）に直に接して荷重を支えることがないので、内容物の重量等に起因するドラム底板の変形状況に影響されることなく、ドラムを安定的に直立支持することができる。
【図面の簡単な説明】
【図１】ドラムの縦断面及びドラム要部の拡大断面を示す断面図。
【図２】ドラムの蓋の径方向断面及びその要部の拡大断面を示す断面図。
【図３】二つのドラムを段積みしたときの要部拡大断面図。
【符号の説明】
１０…ドラム本体、１０ａ…オープンドラムの開口部、１１…底板、１２…外周側板、１２ａ…外周側板の上端部、１２ｂ…外周側板の上端縁、１３…連結部、１４…握持部、１５…外周フランジ、１５ａ…外周フランジの載置面、１６…環状突条（又は突起）、１７…係合段部、２０…蓋、３０…クランプ部材。
【図１】
2004203442.tif 000003
【図２】
2004203442.tif 000004
【図３】
2004203442.tif 000005